(57)【特許請求の範囲】
【請求項１】
ドアの多重ロック機構であって、
ドアの端部に固定されるよう調整される面板と、
レバーに連結されるアクチュエータピンと、一対の取っ手固定具と、第１のレバー受承チャネルと、第２のレバー受承チャネルとを有する取っ手アセンブリと、
面板に固定される動的ロックアセンブリであって、同動的ロックアセンブリは
面板に対する拡張位置と面板に対する非拡張位置との間を移動可能な動的ラッチと、
少なくとも２組の取っ手固定孔と、
アクチュエータ孔とを備え、
取っ手アセンブリのレバーが第１のレバー受承チャネルに配置されるとともに取っ手アセンブリが動的ロックアセンブリに対する第１の位置に配置されると、取っ手固定具は取っ手固定孔の１組に受承され、且つアクチュエータピンはアクチュエータ孔に受承され、取っ手アセンブリのレバーが第２のレバー受承チャネルに配置されるとともに取っ手アセンブリが動的ロックアセンブリに対する第２の位置に配置されると、取っ手固定具は取っ手固定孔の別の組に受承され、且つアクチュエータピンはアクチュエータ孔に受承される、前記動的ロックアセンブリと、
動的ロックアセンブリに操作可能に連結され面板に固定可能な複数の受動的ロックアセンブリとを備え、複数の受動的ロックアセンブリはそれぞれ面板に対する拡張位置と面板に対する非拡張位置との間を移動可能な受動的ラッチを有し、
アクチュエータ孔内の取っ手アセンブリのアクチュエータピンが回動すると、動的ラッチと各受動的ラッチは拡張位置と非拡張位置との間を同時に移動することを特徴とする多重ロック機構。
【請求項２】
前記動的ロックアセンブリは、
主壁部と側方に延びる少なくとも１つの側壁部とを有するベース部と、
ベース部に固定され通常主壁部と対向する、動的ロックアセンブリのハウジングを画定するカバー板とを更に備え、ベース部の主壁部及びカバー板はそれぞれ少なくとも２組の取っ手固定孔を画定し、これにより取っ手アセンブリはベース部の主壁部及びカバー板のいずれか一方の上の第１の位置及び第２の位置のいずれか一方に配向可能であることを特徴とする請求項１に記載の多重ロック機構。
【請求項３】
前記動的ロックアセンブリは動的ラッチに操作可能に連結される第１の深さ調整機構を備えることと、前記少なくとも１つの受動的ロックアセンブリは対応する受動的ラッチに動作可能に連結される第２の深さ調整機構を備えることと、これにより動的ラッチ及び複数の受動的ロックアセンブリの各受動的ラッチは面板に対して独立して深さを調整可能であることとを特徴とする請求項１に記載の多重ロック機構。
【請求項４】
各深さ調整機構は、
対応するラッチに操作可能に連結されたロック保定装置と、同ロック保定装置は調整ボルト凹部を画定することと、
ネジ頭部及びネジ本体とを画定する深さ調整ネジと、
ネジ本体にネジにより回動可能に係合し、調整ボルト凹部内に設けられた深さ調整ボルトとを備え、
ネジ本体に沿って深さ調整ボルトを移動させることにより、ロック保定装置及び面板に直交する対応するラッチを移動させ、これによりネジ本体上のねじ山付き深さ調整ボルトの位置が対応するラッチの面板に対する深さの位置を画定することとを特徴とする請求項３に記載の多重ロック機構。
【請求項５】
前記動的ロックアセンブリは更に、
クランク突出部凹部を画定する動的ロックアクチュエータと、
クランク突出部凹部内に設けられるクランクアーム突出部を有するクランク部材と、
動的ロックアクチュエータ及び動的ラッチに操作可能に連結された動的ロックドライブ板とを備え、
取っ手アセンブリのアクチュエータピンの回動によりクランク部材が回動することと、これによりクランクアーム突出部が動的ロックアクチュエータのクランク突出部凹部に沿って縦に移動することと、これにより動的ロックアクチュエータ及び動的ロックドライブ板が縦に移動することと、従って動的ラッチは拡張位置及び非拡張位置との間を移動することとを特徴とする請求項１に記載の多重ロック機構。
【請求項６】
前記多重ロック機構は前記動的ラッチと複数の受動的ラッチの１つに操作可能に連結される少なくとも１つの連結部材を更に備え、前記動的ロックアセンブリは、
前記少なくとも１つの連結部材のうち１つと操作可能に係合される少なくとも１つの連結部材係合具を更に画定する動的ロックアクチュエータを更に備え、
取っ手アセンブリのアクチュエータピンの回動により動的ロックアクチュエータが縦に移動し、前記少なくとも１つの連結部材係合具は対応する連結部材を駆動することと、これにより対応する受動的ラッチは拡張位置と非拡張位置の間を、動的ラッチの拡張位置と非拡張位置との間の移動と同時に移動することとを特徴とする請求項５に記載の多重ロック機構。
【請求項７】
前記動的ロックアセンブリは動的ラッチを拡張位置に選択的に配置するよう調整される衝撃防止機構を更に備え、同衝撃防止機構は、
非陥凹位置と面板に対する陥凹位置との間を移動可能なバネを備えた衝撃防止アクチュエータと、
衝撃防止アクチュエータに連結された衝撃防止体本体とを備え、
前記衝撃防止体本体は同衝撃防止体本体が非陥凹位置にある場合に動的ロックアクチュエータの衝撃防止凹部内に螺入され、これにより動的ロックアクチュエータの縦の移動が防止され、動的ラッチは非拡張位置に位置され、衝撃防止体本体は同衝撃防止体本体が陥凹位置にある場合に衝撃防止凹部から外され、これにより動的ロックアクチュエータの縦の移動が可能となり動的ラッチが拡張位置と非拡張位置との間を移動可能となることを特徴とする請求項５に記載の多重ロック機構。
【発明の詳細な説明】
【技術分野】
【０００１】
本出願はドアのロックに関する。より詳細には、引き戸のような市場において入手可能なドア用の多重ドアロックに関する。
【背景技術】
【０００２】
引き戸のような市場で入手可能なドア用の多重ロックが周知である。通常多重ロックは動的ロックアセンブリ及び１つ以上の受動的ロックアセンブリを含む。各ロックアセンブリはラッチやその他の類似の装置を含み、これらは保持具のような受承要素と着脱自在にして、且つ係合自在に設けられ、ドア枠内に配置される。
【０００３】
通常、アクチュエータピンを有する取っ手アセンブリは動的ロックアセンブリ上に設けられた固定孔の配置により動的ロックアセンブリに定位置にて固定される。レバーアセンブリのような取っ手の一部に圧力を作用させると、アクチュエータピンは動的ロック装置内のロック機構を作動させ、次いで受動的ロック装置内のロック機構を作動させる。これにより、各ロック装置のラッチは同時にこれらに対応する受承要素に係合するか外される。
【先行技術文献】
【特許文献】
【０００４】
【特許文献１】米国特許第５４０９１１号明細書
【特許文献２】米国特許第６１４１４４号明細書
【特許文献３】米国特許第９１２３７８号明細書
【特許文献４】米国特許第９３２３３０号明細書
【特許文献５】米国特許第９５８８８０号明細書
【特許文献６】米国特許第１０２３７６６号明細書
【特許文献７】米国特許第１０５１９１８号明細書
【特許文献８】米国特許第１０６５１７２号明細書
【特許文献９】米国特許第１０７０３６６号明細書
【特許文献１０】米国特許第１０７８５４９号明細書
【特許文献１１】米国特許第１１７４６５２号明細書
【特許文献１２】米国特許第１２１６７６５号明細書
【特許文献１３】米国特許第１３２０４４４号明細書
【特許文献１４】米国特許第１３３４３１４号明細書
【特許文献１５】米国特許第１３８５１０２号明細書
【特許文献１６】米国特許第１４０２９６４号明細書
【特許文献１７】米国特許第１５１５６１１号明細書
【特許文献１８】米国特許第１５３３２４３号明細書
【特許文献１９】米国特許第１５８５６８９号明細書
【特許文献２０】米国特許第２０６６７０５号明細書
【特許文献２１】米国特許第２１６６５３５号明細書
【特許文献２２】米国特許第２４０６４５９号明細書
【特許文献２３】米国特許第２４９８５０８号明細書
【特許文献２４】米国特許第２７０１１５７号明細書
【特許文献２５】米国特許第２７１２４６４号明細書
【特許文献２６】米国特許第２７３６１８５号明細書
【特許文献２７】米国特許第２８５５２３４号明細書
【特許文献２８】米国特許第２９２４４７５号明細書
【特許文献２９】米国特許第２９４３５１４号明細書
【特許文献３０】米国特許第２９８０４５８号明細書
【特許文献３１】米国特許第３０４１０９７号明細書
【特許文献３２】米国特許第３３４２５１６号明細書
【特許文献３３】米国特許第３４００５６２号明細書
【特許文献３４】米国特許第３５４３４４１号明細書
【特許文献３５】米国特許第３５８６３６０号明細書
【特許文献３６】米国特許第３５９６９５４号明細書
【特許文献３７】米国特許第３９４９５２５号明細書
【特許文献３８】米国特許第３９５３０６１号明細書
【特許文献３９】米国特許第４０５０２７２号明細書
【特許文献４０】米国特許第４０６８８７４号明細書
【特許文献４１】米国特許第４１１８０５６号明細書
【特許文献４２】米国特許第４１４８１０６号明細書
【特許文献４３】米国特許第４２５３６８８号明細書
【特許文献４４】米国特許第４３３５８１６号明細書
【特許文献４５】米国特許第４３８９０６１号明細書
【特許文献４６】米国特許第４４３４６３５号明細書
【特許文献４７】米国特許第４４７６７００号明細書
【特許文献４８】米国特許第４４８０８６２号明細書
【特許文献４９】米国特許第４５４７００６号明細書
【特許文献５０】米国特許第４６０２４５７号明細書
【特許文献５１】米国特許第４６３９０２１号明細書
【特許文献５２】米国特許第４６４３００５号明細書
【特許文献５３】米国特許第４６７６５３７号明細書
【特許文献５４】米国特許第４７３９５８３号明細書
【特許文献５５】米国特許第４８０３８０８号明細書
【特許文献５６】米国特許第４９５８５０８号明細書
【特許文献５７】米国特許第４９６２６５３号明細書
【特許文献５８】米国特許第４９７３０９１号明細書
【特許文献５９】米国特許第４９８０９４６号明細書
【特許文献６０】米国特許第４９９１８８６号明細書
【特許文献６１】米国特許第５０４５２６５号明細書
【特許文献６２】米国特許第５０５８９３８号明細書
【特許文献６３】米国特許第５０７８２００号明細書
【特許文献６４】米国特許第５０８７０８７号明細書
【特許文献６５】米国特許第５１１８１４５号明細書
【特許文献６６】米国特許第５１２００９４号明細書
【特許文献６７】米国特許第５１８３３１０号明細書
【特許文献６８】米国特許第５１９７７７１号明細書
【特許文献６９】米国特許第５２４５８４６号明細書
【特許文献７０】米国特許第５２５３９０３号明細書
【特許文献７１】米国特許第５２９００７７号明細書
【特許文献７２】米国特許第５３０１５２５号明細書
【特許文献７３】米国特許第５３７０４２８号明細書
【特許文献７４】米国特許第５３７３７１６号明細書
【特許文献７５】米国特許第５３８８８７５号明細書
【特許文献７６】米国特許第５４９５７３１号明細書
【特許文献７７】米国特許第５４９８０３８号明細書
【特許文献７８】米国特許第５５２４９４１号明細書
【特許文献７９】米国特許第５５２４９４２号明細書
【特許文献８０】米国特許第５５３１４９２号明細書
【特許文献８１】米国特許第５５４２７２０号明細書
【特許文献８２】米国特許第５６０３５３８号明細書
【特許文献８３】米国特許第５６２０２６１号明細書
【特許文献８４】米国特許第５６４２９０９号明細書
【特許文献８５】米国特許第５７２２７０４号明細書
【特許文献８６】米国特許第５７４１０３１号明細書
【特許文献８７】米国特許第５７５２７２７号明細書
【特許文献８８】米国特許第５７７８６０２号明細書
【特許文献８９】米国特許第５７８２１１４号明細書
【特許文献９０】米国特許第５７９１７９０号明細書
【特許文献９１】米国特許第５８２０１７０号明細書
【特許文献９２】米国特許第５８３９７６７号明細書
【特許文献９３】米国特許第５８７８６０５号明細書
【特許文献９４】米国特許第５８７８６０６号明細書
【特許文献９５】米国特許第５８９６７６３号明細書
【特許文献９６】米国特許第５９０１９８９号明細書
【特許文献９７】米国特許第５９０６４０３号明細書
【特許文献９８】米国特許第５９２７７６７号明細書
【特許文献９９】米国特許第５９５１０６８号明細書
【特許文献１００】米国特許第６００６５６０号明細書
【特許文献１０１】米国特許第６１３５５１１号明細書
【特許文献１０２】米国特許第６１６１８８１号明細書
【特許文献１０３】米国特許第６２０９９３１号明細書
【特許文献１０４】米国特許第６２１７０８７号明細書
【特許文献１０５】米国特許第６２６６９８１号明細書
【特許文献１０６】米国特許第６２８２９２９号明細書
【特許文献１０７】米国特許第６３２４８７６号明細書
【特許文献１０８】米国特許第６３２７８８１号明細書
【特許文献１０９】米国特許第６３６７８５３号明細書
【特許文献１１０】米国特許第６３８９８５５号明細書
【特許文献１１１】米国特許第６６５１３８９号明細書
【特許文献１１２】米国特許第６６５１４６６号明細書
【特許文献１１３】米国特許第６６８２１０９号明細書
【特許文献１１４】米国特許第６６８８６５６号明細書
【特許文献１１５】米国特許第６８３７００４号明細書
【特許文献１１６】米国特許第６８７１４５１号明細書
【特許文献１１７】米国特許第６８７１８８４号明細書
【特許文献１１８】米国特許第６９６２３７７号明細書
【特許文献１１９】米国特許第６９７１６８６号明細書
【特許文献１２０】米国特許第７００３９９０号明細書
【特許文献１２１】米国特許第７００４５１５号明細書
【特許文献１２２】米国特許第７０２５３９４号明細書
【特許文献１２３】米国特許第７１７８８３９号明細書
【特許文献１２４】米国特許出願公開第２００４／０１４５１８９号明細書
【特許文献１２５】米国特許出願公開第２００６／００９１６７９号明細書
【特許文献１２６】米国特許出願公開第２００７／００９６４７６号明細書
【特許文献１２７】英国特許出願公開第２２８１０９７号明細書
【特許文献１２８】英国特許出願公開第２３３７５５６号明細書
【特許文献１２９】独国特許出願公開第１０２５５７３３号明細書
【特許文献１３０】独国特許出願公開第２９１４３７７号明細書
【特許文献１３１】独国特許出願公開第１０９５７０９号明細書
【特許文献１３２】欧州特許第０３２７２６４号明細書
【特許文献１３３】欧州特許出願公開第０４３１３６９号明細書
【特許文献１３４】仏国特許第２４３５５８６号明細書
【非特許文献】
【０００５】
【非特許文献１】REJUVENATION, Large Brass Casement Window Fastener 8389, www.rejuvenation.com, 03/03/05, 1 Pg.
【非特許文献２】FERCO CORP., Fittings for tilt-turn gears JET AS 130 Aluminium joinery, 1991, 12 Pgs.
【非特許文献３】TRUTH HARDWARE, Multi-Point Locking System, Truth Hardware Catalog, 1993, 8 Pgs., pp. 2.7-2.7g.
【非特許文献４】TRUTH HARDWARE, Engineering Drawing No. 31868,11-03-1996, 1 Pg.
【非特許文献５】TRUTH HARDWARE, MirageTM Concealed Multi-Point Locking System (Tie Bar in Jamb version), Truth Hardware Catalog, 1996, 12 pgs., pp. 2.5-2.5k.
【発明の概要】
【発明が解決しようとする課題】
【０００６】
しかしながら、これらの既存の多重引き戸ロックは多くの短所を有する。例えば、多重ロックの動的ロック装置はアクチュエータピンを有する１つの取っ手のセットや複数の取っ手のセット、或いは鍵座に取り付け可能ではなく、取っ手セットの固定部材に対して異なる位置に配置される。動的ロック装置及び受動的ロック装置は異なる寸法を有するロック要素を収容可能ではない。ロック装置内の多重ロックの深みは個別に調整可能なものではない。多重ロックはアクチュエータピンの比較的最小の回転をロック要素の比較的大きな横断方向の指向に変えることはできない。従って、これらの短所を克服する多重ロックに対する要求がある。
【課題を解決するための手段】
【０００７】
本発明は引き戸のような市場にて入手可能な戸の多重ロックを提供することに対する上述した要求を解決するものである。本発明の実施例において、動的ロック装置が上部受動的ロック装置及び下部受動的ロック装置に操作可能に連結される。動的ロック装置内に挿入されたアクチュエータピンを回動させることにより、操作者はドア枠内において深さ調整ラッチを受承要素に、或いは保持具に同時に係合させることができる。動的ロック装置の様々な要素はアクチュエータピンの回動を、上部受動的ロック装置及び下部受動的ロック装置を駆動するその他の要素の横断方向の運動に変換する。衝撃防止機構は衝撃防止ボタンが押されない限り、例えば引き戸が閉められる場合に発生するような調整可能なラッチによるロック位置の占拠を防止する。調整可能なラッチの深さは各ロック装置内に設けられる深さ調整ネジを回動させることにより個別に調整可能である。
【０００８】
本発明の実施例において、通常多重ロック装置は戸に固定された面板と、動的ロックアセンブリ及び複数の受動的ロックアセンブリとを含み、それぞれ面板に取り付けられる。動的ロックアセンブリは拡張位置と非拡張位置の間を移動可能な動的ラッチと、少なくとも２組の取っ手固定孔と、取っ手アクチュエータ孔とを備えてもよい。取っ手アセンブリは動的ロックアセンブリに、戸に対して少なくとも２箇所の異なった部分に取付可能である。動的ロックアセンブリ及び各受動的ロックアセンブリは深さ調整機構を更に含んでもよい。深さ調整機構はネジ頭部及びネジ本体を画定する深さ調整ネジと、ネジ本体と係合する深さ調整ボルトとを備える。これによりネジ本体上のネジ付き深さ調整ボルトの一部は面板に対して対応するラッチの深さの位置を画定する。各ラッチは個別に調整可能である。
【０００９】
本発明の別例において、多重ロック機構を有するロック可能な引き戸アセンブリはドア枠内に取り付けられる。引き戸アセンブリは開いた位置と閉じた位置との間を移動可能な引き戸を含むが、閉じた位置において非拡張位置と拡張位置との間を移動可能である。上述したような多重ロック装置は引き戸の端部に取り付けられる。レバーとレバーに操作可能に連結されるアクチュエータピンとを含む取っ手アセンブリは多重ロック装置に取り付けられる。取っ手アセンブリのレバーは取っ手アセンブリの本体に沿って画定されるチャネル内に選択的に配置可能である。ロック装置の１組の取っ手固定孔はレバーの第１の位置に対応し、これにより取っ手アセンブリは引き戸に対して第１の位置に配向される。取っ手固定孔の別の組はレバーの第２、第３、或いはそれ以上の位置に対応する。これにより取っ手アセンブリは引き戸に対して第２、第３、或いはそれ以上の位置に配向される。
【００１０】
より具体的には本発明の実施例において、取っ手アセンブリは１組の固定孔を画定する。チャネルがこれらの固定孔の組の間に設けられる。取っ手アセンブリ上の固定孔の組はレバーが第１のチャネル内に位置する場合に少なくとも２組の取っ手固定孔のうち１組と並ぶ。取っ手アセンブリ上の固定孔の組はレバーが第１のチャネルとは異なるチャネル内に位置する場合に取っ手固定孔の別の組と並ぶ。アクチュエータピンはレバーがチャネルのいずれか１つ内に位置する場合にロック装置のアクチュエータ孔と並ぶ。
【図面の簡単な説明】
【００１１】
【図１】本発明の実施例における多重引き戸ロックを示す斜視図。
【図１ａ】本発明の実施例における引き戸アセンブリを示す斜視図。
【図２】本発明の実施例における動的ロック装置及び下部受動的ロック装置を示す分解斜視図。
【図３】本発明の実施例における動的ロック装置及び下部受動的ロック装置を示す分解斜視図。
【図４】本発明の実施例において非拡張位置における動的ロック装置を示す断面図。
【図５】本発明の実施例において拡張位置における動的ロック装置を示す断面図。
【図６】本発明の実施例において拡張位置における動的ロック装置を示す断面図。
【図７】本発明の実施例において非拡張位置における受動的ロック装置を示す断面図。
【図８】本発明の実施例において拡張位置における受動的ロック装置を示す断面図。
【図９】本発明の実施例において拡張位置における受動的ロック装置を示す断面図。
【図１０】本発明の実施例による非拡張位置において部分的に分解された動的ロック装置を示す斜視図。
【図１１】本発明の実施例による拡張位置において部分的に分解された動的ロック装置を示す斜視図。
【図１２】本発明の実施例における多重引き戸ロックの取っ手セットを示す斜視図。
【図１３】本発明の実施例における動的ロック装置に対する、図１２の多重引き戸ロックの取っ手セットを示す斜視図。
【図１４】本発明の実施例における多重引き戸ロックの取っ手セットを示す斜視図。
【図１５】本発明の実施例における動的ロック装置に対する、図１４の多重引き戸ロックの取っ手セットを示す斜視図。
【図１６】本発明の実施例における多重引き戸ロックの取っ手セットを示す斜視図。
【図１７】本発明の実施例における動的ロック装置に対する、図１６の多重引き戸ロックの取っ手セットを示す斜視図。
【図１８】本発明の実施例において引き戸の２点ロックに対する多重引き戸ロックの取っ手セットを示す斜視図。
【図１９】本発明の実施例において引き戸の２点ロックに対する多重引き戸ロックの取っ手セットを示す斜視図。
【図２０】本発明の実施例において引き戸の２点ロックに対する多重引き戸ロックの取っ手を示す斜視図。
【発明を実施するための形態】
【００１２】
本発明は、様々な変更物や代替物へ変更可能であるが、その詳細は図面において実施例として示されており、以下に詳述される。しかしながら、本発明は、記載された特定の実施例に限定されるものではない。本発明は、その趣旨および範囲内に含まれる全ての変更物や均等物や代替物を包含するものである。
【００１３】
図１に示すように、本願に開示する多重引き戸ロック１００はロックアセンブリ１０２、面板１０４、及び連結部材１１０から構成可能である。多重引き戸ロック１００の要素は例えば炭素鋼、ステンレス、アルミニウム、ナイロン、及びこれらの組み合わせを含む好適な材料からなる構造体から組立可能である。
【００１４】
図１ａに示すように、本発明の実施例における引き戸アセンブリ６００は構造体の壁部６０２に設けられる開口部内に配置され、通常トラック６０６内に摺動自在に設けられるドアパネル６０４，６０５を含む。ロックアセンブリ１００はドアパネル６０４の縦の側面部６０８に設けられるほぞ穴内に配置される。
【００１５】
通常ロックアセンブリは動的ロック装置１０６及び受動的ロック装置１０８を含む。受動的ロック装置１０８は上部受動的ロック装置１０８ａ及び下部受動的ロック装置１０８ｂを含む。連結部材１１０は歯部１１１及び溝１１３を有する。動的ロック装置１０６及び上部受動的ロック装置１０８ａは上部連結部材１１０ａによって作動可能に連結される。動的ロック装置１０６及び下部受動的ロック装置１０８ｂは下部連結部材１１０ｂによって作動可能に連結される。上部受動的ロック装置１０８ａ及び下部受動的ロック装置１０８ｂは動的ロック装置１０６に対する面板１０４上の配向を除き、受動的ロック装置１０８と略同様である。上部受動的ロック装置１０８ａ及び下部受動的ロック装置１０８ｂも同様の要素を含み、同様に動作可能である。従って、上部受動的ロック装置１０８ａに関する記載は下部受動的ロック装置１０８ｂも含み、逆も又然りである。
【００１６】
通常、受動的ロック装置１０８に関して記載するために使用される用語「上部」及び「下部」は多重引き戸ロック１００が取り付けられる引き戸（図示しない）に対する位置を示す。上部受動的ロック装置１０８ａは引き戸の上部の近傍に設けられ、下部受動的ロック装置１０８ｂは引き戸の下部の近傍に設けられる。引き戸上の上部受動的ロック装置１０８ａ及び下部受動的ロック装置１０８ｂの位置も本発明の精神や範囲から逸脱しない限り切り換え可能である。
【００１７】
通常各ロックアセンブリ１０２はロックアセンブリ１０２によって実施される機能を内蔵し、搭載し、保護する個別のハウジングから構成される。動的ロック装置１０６は動的ロック装置カバー１１４に固定される動的ロック装置ベース部１１２を含む。上部受動的ロック装置１０８ａは受動的ロック装置カバー１１８に固定される受動的ロック装置ベース部１１６を含む。下部受動的ロック装置１０８ｂは受動的ロック装置カバー１１８に固定される受動的ロック装置ベース部１１６を含む。
【００１８】
通常、面板１０４は上端部１２０、底端部１２２、ラッチチャネル１２４、取付孔１２６、固定孔１２８、衝撃防止孔１３０、及び深みのある深み調整ネジ穴１３２を有する。調整可能なラッチ１３４はラッチチャネル１２４内をラッチチャネル１２４に沿って移動可能である。面板１０４は取付孔１２６内に設けられる好適な固定具により引き戸に取り付け可能である。この目的において好適な固定具はネジ、ボルト、リベット、釘、接着剤、及びこれらの組み合わせ等を含む。任意の特徴として、取付孔１２６は装飾及び安全性のために固定具を皿穴に埋めるように設けられてもよい。
【００１９】
図１乃至６に示すように、動的ロック装置１０６は動的ロック装置ベース部１１２、動的ロック装置カバー１１４、動的ラッチ１３４ａ、クランク部材１３６、動的ロック保定装置１３８、ギアドライブシステム１４０、動的ロックドライブ板１４２、下部連結部材係合具１４６を画定する動的ロックアクチュエータ１４４、上部連結部材係合具１４８、衝撃防止機構１５０、深み調整機構１５２、及び複数の連結ピンを含んでもよい。
【００２０】
図２乃至６、及び１０，１１に示すように、動的ロック装置ベース部１１２は主壁部１５４、前壁部１５６、後壁部１５８、上壁部１６０、及び底壁部１６２を含んでもよい。主壁部１５４は後面ギア突出部溝（図示しない）、後面ギア案内スロット（図示しない）、バネ柱孔（図示しない）、及び前面ギア案内スロット１６４ａを含む複数の溝を有する。主壁部１５４はクランク部材孔（図示しない）、取っ手固定孔（図示しない）、及び歯突出部孔（図示しない）も有する。主壁部１５４から動的ロック装置カバー１１４に向かって延びるものは固定支柱１６８、バネ柱１７０、及び衝撃防止支柱１７２である。固定支柱１６８及びバネ柱１７０は例えば溶接、圧入、及び回転フィット技術を含む好適な連結方法を使用して主壁部１５４に取り付けられる。衝撃防止支柱１７２は主壁部１１２の一部を動的ロック装置カバー１１４に向かって折り曲げることにより形成可能である。前壁部１５６は固定孔１７４、小さな深み調整ネジ穴１７６、衝撃防止突出部孔１７８、及び動的ラッチ開口部１７９を有する。通常、主壁部１５４の固定孔１７４は面板１０４の固定孔１２８に並べられ固定部材が並んだ固定孔１２８、１７４に挿入されて動的ロック装置ベース部１１２が面板１０４に固定される。通常主壁部１５４の小さな深み調整ネジ穴１７６及び面板１０４の深み調整ネジ穴１３２ａが並べられ深み調整ネジ１８０ａを受承する。通常、前壁部１５６の衝撃防止突出部孔１７８は面板１０４の衝撃防止孔１３０に並べられて衝撃防止アクチュエータ１８２を受承する。更に、通常動的ロック装置ベース部１１２の前壁部１５６の動的ラッチ開口部１７９は面板１０４のラッチチャネル１２４に並べられる。これにより動的ラッチ１３４ａは拡張位置及び非拡張位置間を自由に枢動自在である。
【００２１】
図２，３に示すように、動的ロック装置カバー１１４は複数の開口部及び溝を有するカバー板１８４を含んでもよい。開口部はアクチュエータ孔１８６、カバーネジ穴１８８、バネ支柱孔１９０、取っ手固定孔１９２、及び歯突出部孔１６６ｂを含む。溝は後面ギア突出部溝１９４、後面ギア案内スロット１９６、前面ギア案内スロット１６４ｂ、及び衝撃防止突出部溝１９８を含む。カバー板１８４は動的ロック装置ベース部１１２の前壁部１５６、後壁部１５８、上壁部１６０、及び底壁部１６２に対して嵌合するような形状を有する。通常、アクチュエータ孔１８６はクランク部材１３６に並べられ、カバーネジ穴１８８は固定支柱１６８に並べられ、動的ロック装置カバー１１４の歯突出部孔１６６ａは動的ロック装置ベース部１１２の歯突出部孔１６６ｂに並べられる。これにより動的ラッチ１３４ａは拡張位置及び非拡張位置間を自由に枢動自在である。更に、通常取っ手固定孔１９２、後面ギア突出部溝１９４、後面ギア案内スロット１９６、及び動的ロック装置カバー１１４の前面ギア案内スロット１６４ｂは取っ手固定孔（図示しない）、後面ギア突出部溝（図示しない）、後面ギア案内スロット（図示しない）、及び動的ロック装置ベース部１１２の前面ギア案内スロット１６４ａに並べられる。これにより動的ラッチ１３４ａは拡張位置及び非拡張位置間を自由に枢動自在である。
【００２２】
図２乃至６に示すように、クランク部材１３６はクランク本体２００、上部クランクアーム２０２、中間クランクアーム２０４、及び底部クランクアーム２０６を含んでもよい。通常クランク本体２００はアクチュエータピンスロット２０６及びクランクアーム突出部２１０を画定する。通常上部クランクアーム２０２及び底部クランクアーム２０６はバネ孔２０８ａ、２０８ｂを画定する。通常中間クランクアーム２０４はクランクアーム突出部２１０を画定する。
【００２３】
図２乃至６に示すように、動的ロック保定装置１３８は通常クランク孔２１４、小さなピボットピンホール２１６、及び調整ボルト凹部２１８を画定する保定装置ハウジング２１２から構成可能である。クランク孔２１４はクランク部材１３６を回動自在に受承する。小さなピボットピンホール２１６はピボットピン２２０を固定して受承可能である。調整ボルト凹部２１８はネジ付き深み調整ボルト２２２を回動自在に受承可能である。
【００２４】
図２乃至６に示すように、動的ロックアクチュエータ１４４は上部係合領域２２４、中間領域２２６、及び下部係合領域２２８を含んでもよい。通常上部係合領域２２４は、前面ギア突出部孔２３２、小さなアクチュエータ孔２３４、及びクランク突出部凹部２３６を画定するアクチュエータ拡張部２３０を画定する。通常中間領域２２６はロックチャネルカバー２３８を画定する。通常下部係合領域２２８は歯部２４２及び溝２４４を画定する下部連結部材係合具１４６を画定する。中間領域２２６及び下部係合領域２２８間の接触面は衝撃防止凹部２４６を画定する。
【００２５】
図２乃至６に示すように、動的ロックドライブ板１４２はドライブ板本体２４８及びドライブ板頭部２５０を含んでもよい。ドライブ板本体２４８及びドライブ板頭部２５０は異なる面に設けられてもよい。通常ドライブ板本体２４８はピボットピンスロット２５２及びドライブピンスロット２５４を画定する。ピボットピンスロット２５２はピボットピン２２０を横断方向の軸に沿って横断方向に受承可能である。ドライブピンスロット２５４は縦方向軸及び横断方向軸に沿ってドライブピン２５６を横断方向に受承可能である。通常ドライブ板頭部２５０は大きなアクチュエータ孔２５８を画定する。大きなアクチュエータ孔２５８はアクチュエータリベット２６０を回動自在に受承可能である。
【００２６】
図２，３に示すように、動的ラッチ１３４ａはフック２６２、ドライブピンホール２６４、及び大きなピボットピンホール２６６を含んでもよい。通常フック２６２は動的ラッチ１３４ａが拡張位置にある場合に保持具（図示しない）と係合するような形状に形成される。ドライブピンホール２６４はドライブピン２５６を受承可能である。大きなピボットピンホール２６６はピボットピン２２０を回動自在に受承可能である。
【００２７】
図２乃至６に示すように、上部連結部材係合具１４８は上部領域２６８及び下部領域２７０を含んでもよい。通常上部領域は歯部２７２及び溝２７４を画定する。通常下部領域２７０は後面ギア突出部孔２７６を画定する。下部領域２７０は動的ロック装置ベース部１１２の主壁部１５４に向かって折り曲げられ、上部連結部材係合具１４８を動的ロック装置１０６内に更に固定する。
【００２８】
図２乃至６、特に図３に示すように、ギアドライブシステム１４０は歯２７８、前面ギアドライブ２８０、及び後面ギアドライブ２８２を含んでもよい。通常歯２７８は歯突出部２８４及びギア２８６を画定する。主壁部１５４の歯突出部孔１６６ａ及びカバー板１８４の歯突出部孔１６６ｂは歯突出部２８４を回動自在に受承可能である。通常前面ギアドライブ２８０はギア２８８、前面ギア案内部２９０、前面ギア凹部２９２、及び前面ギア突出部２９４を画定する。前面ギアドライブ２８０のギア２８８は歯２７８のギア２８６と回動自在に係合する。前面ギア案内スロット１６４ａ、ｂは前面ギア案内部２９０を横断方向に受承し、これにより動的ラッチ１３４ａは拡張位置及び非拡張位置間を自由に枢動自在である。前面ギア凹部２９２はアクチュエータ拡張部２３０を受承可能であり、これにより前面ギア突出部孔２３２は前面ギア突出部２９４を受承する。通常後面ギアドライブ２８２はギア２９６、後面ギア案内部２９８、及び後面ギア突出部３００を画定する。歯２７８のギア２８６は後面ギアドライブ２８２のギア２９６と回動自在に係合する。後面ギア案内スロット１９６は後面ギア案内部２９８を横断方向に受承し、これにより動的ラッチ１３４ａは拡張位置及び非拡張位置間を自由に枢動自在である。上部連結部材係合具２７０の後面ギア突出部孔２７６は後面ギア突出部３００を受承する。
【００２９】
図２乃至６に示すように、衝撃防止機構１５０は衝撃防止アクチュエータ１８２、衝撃防止体本体３０２、衝撃防止突出部３０４、及び衝撃防止バネ孔３０６によって画定される。通常衝撃防止機構１５０は引き戸を閉めておくことを要し、或いは調整可能なラッチ１３４を作動させ拡張位置内に移動させるために衝撃防止アクチュエータ１８２を非拡張位置に設けることを要する。図４に示すように、衝撃防止体本体３０２は衝撃防止凹部２４６に嵌入し、これにより例えば引き戸が開いたときのように衝撃防止体本体３０２が非陥凹位置にある場合に動的ロックアクチュエータ１４４の横断方向の移動を防止する。図５，６に示すように、衝撃防止体本体３０２は衝撃防止凹部２４６の下部に設けられる。これにより例えば引き戸が閉められるときのように衝撃防止体本体３０２が陥凹位置にある場合に動的ロックアクチュエータ１４４を横断方向に移動可能にする。面板１０４の衝撃防止孔１３０、及び動的ロック装置ベース部１１２の前壁部１５６の衝撃防止突出部孔１７８は衝撃防止アクチュエータ１８２を受承可能である。衝撃防止突出部溝１９８は衝撃防止突出部３０４を横断方向に受承する。衝撃防止バネ孔３０６は衝撃防止バネ３０８を受承可能である。
【００３０】
図４乃至９に示すように、深さ調整機構１５２は深さ調整ネジ１８０ａ及びネジ付き深さ調整ボルト２２２を含んでもよい。通常、深さ調整機構１５２は動的ロック保定装置１３８を調整して動的ロック装置１０６内の動的ラッチ１３４ａを制御する。前壁部１５６の小さな深さ調整ネジ穴１７６、動的ロック装置ベース部１１２、及び面板１０４の大きな深さ調整ネジ穴１３２ａは深さ調整ネジ１８０ａを受承可能である。動的ロック保定装置１３８の調整ボルト凹部２１８は深さ調整ボルト２２２を受承可能である。通常、深さ調整ネジ１８０ａは深さ調整ネジ頭部３１０、深さ調整ネジ首部３１２、深さ調整ネジカラー３１４、並びに基端部３１８及び末端部３２０を有する深さ調整ネジ本体３１６を備える。深さ調整ネジ１８０ａの一部にはネジが設けられ、これにより回動可能にネジ付き深さ調整ボルト２２２を受承する。
【００３１】
図１乃至３、及び７乃至９に示すように上部受動的ロック装置１０８ａ及び下部受動的ロック装置１０８ｂはそれぞれ、受動的ロック装置ベース部３２２、ロック装置カバー３２４、受動的ラッチ１３４ｂ、受動的ロック保定装置３２８、受動的ロックドライブ板３３０、受動的ロックアクチュエータ３３２、深さ調整機構１５２、及び複数の連結ピンを備える。
【００３２】
図２、３、及び７乃至１１に示すように受動的ロック装置ベース部３２２は主壁部３３４、前壁部３３６、後壁部３３８、上壁部３４０、底壁部３４２を備えてもよい。主壁部３３４は小さな保定装置ピンホール３４４ａを有する。主壁部３３４から受動的ロック装置カバー３２４に向かって固定柱３４６が延びる。固定柱３４６は例えば溶接、圧入、及び回転フィット技術を含む好適な連結方法を使用して主壁部３３４に取り付け可能である。前壁部３３６は取付孔３４８、受動的ラッチ開口部３５０、小さな深さ調整ネジ穴３５１を有する。通常、受動的ロック装置ベース部３２２の取付孔３４８は面板１０４の取付孔１２８と並べられて固定部材が重合する取付孔１２８，３４８に挿入される。これにより受動的ロック装置ベース部３２２が面板１０４に固定される。更に、通常受動的ラッチ開口部３５０は面板１０４のラッチチャネル１２４に並べられ、これにより受動的ラッチ１３４ｂは拡張位置及び非拡張位置を自由に枢動自在である。
【００３３】
図２、３に示すように、受動的ロック装置カバー３２４は複数の開口部を有するカバー板３５２を含んでもよい。開口部は保定装置ピンホール３４４ｂ及びカバーネジ穴３５６を含む。カバー板３５２は受動的ロック装置ベース部３２２の前壁部３３６、後壁部３３８、上壁部３４０、及び底壁部３４２に対して嵌合するような形状を有する。通常、受動的ロック装置カバー３２４の保定装置ピンホール３４４ｂは保定装置ピン３７１、及び受動的ロック装置ベース部３２２の保定装置ピンホール３４４ａと並べられ、カバーネジ穴３５６は固定柱３４６と並べられ、これにより受動的ラッチ１３４ｂは拡張位置及び非拡張位置の間を自由に枢動自在である。
【００３４】
図２、３、及び７乃至９に示すように、受動的ラッチ１３４ｂはフック３５８、ドライブピンホール３６０、及び大きなピボットピンホール３６２を含んでもよい。通常フック３５８は受動的ラッチ１３４ｂが拡張位置にある場合に保持具（図示しない）と係合するような形状に形成される。ドライブピンホール３６０はドライブピン５２２を受承し、大きなピボットピンホール３６２はピボットピン５２４を受承可能である。
【００３５】
図２、３、及び７乃至９に示すように、受動的ロック保定装置３２８は通常保定装置ピンホール３６６、小さなピボットピンホール３６８、及び調整ボルト凹部３７０を画定する保定装置ハウジング３６４を含んでもよい。小さなピボットピンホール３６８はピボットピン５２４を固定して受承可能である。調整ボルト凹部３７０はネジ付き深さ調整ボルト２２２を回動自在に受承可能である。大きな保定装置ピンホール３６６は保定装置ピン３７１を回動自在に受承可能である。
【００３６】
図２、３、及び７乃至９に示すように、受動的ロックアクチュエータ３３２は上部係合領域３７２、中間領域３７４、及び下部領域３７６を含んでもよい。通常、上部係合領域３７２、歯部３７８及び溝部３８０を画定する。通常中間領域３７４はロックチャネルカバー３８２、及びアクチュエータ孔３８６を画定するアクチュエータシェルフ３８４を画定する。
【００３７】
図２、３、及び７乃至９に示すように、受動的ロックドライブ板３３０はドライブ板本体３９４及びドライブ板頭部３９６を含んでもよい。ドライブ板本体３９４は同一面上に設けられてもよい。通常ドライブ板本体３９４はピボットピンスロット３９５及びドライブピンスロット４００を画定する。ピボットピンスロット３９８はピボットピン５２４を縦方向の軸に沿って横断方向に受承する。ドライブピンスロット４００は縦方向軸及び横断方向軸に沿ってドライブピン５２２を横断方向に受承可能である。通常ドライブ板頭部３９６は大きなアクチュエータ孔４０２を画定する。アクチュエータ孔４０２はアクチュエータリベット５２６を回動自在に受承可能である。
【００３８】
図２、３、及び７乃至９に示すように、深さ調整機構１５２は深さ調整ネジ１８０ｂ及びネジ付き深さ調整ボルト２２２を含んでもよい。通常、深さ調整機構１５２は受動的ロック保定装置３２８を調整して受動的ロック装置１０８内の受動的ラッチ１３４ｂを制御する。受動的ロック装置ベース部３２２の前壁部３３６の小さな深さ調整ネジ穴３５１、及び面板１０４の大きな深さ調整ネジ穴１３２ｂは深さ調整ネジ１８０ｂを受承可能である。受動的ロック保定装置３２８の調整ボルト凹部３７０はネジ付き深さ調整ボルト２２２を受承する。
【００３９】
通常、多重引き戸ロック１００は図２，３に示すように組み立てられる。図１２乃至１７に示すように組み立てられる場合において、多重引き戸ロック１００は取っ手セット５００を受承可能である。取っ手セット５００は取っ手固定孔１９２に対して複数の位置に設けられるアクチュエータピン５０２を受承するように調整される。更に、多重引き戸ロック１００は１つのレバー５０４を操作することにより複数のロックアセンブリを作動可能である。更に、多重引き戸ロック１００はロックアセンブリ１０２内の調整可能なラッチ１３４の深さを調整可能である。更に、多重引き戸ロック１００は長さが変化する調整可能なラッチ１３４を収容可能である。更に、多重引き戸ロック１００は可動レバー５０４により生じる比較的短距離のクランク部材１３６の回動を上部連結部材１１０ａ及び下部連結部材１１０ｂの比較的長距離の移動に変換する。
【００４０】
図１２乃至１７に示すように、取っ手セット５００は取っ手５０６、取っ手取付部５０８、末端部５１０及び基端部５１２を有するレバー５０４、アクチュエータピン５０２、並びに取っ手固定具５１４ａ及び５１４ｂを備えてもよい。通常取っ手取付部５０８は下面部５１６、取っ手固定ハウジング５１８、及びレバー受承チャネル５２０を画定する。図１２，１４及び１６に示すように、通常レバー受承チャネル５２０は上部レバー受承チャネル５２０ａ、中間レバー受承チャネル５２０ｂ、及び下部レバー受承チャネル５２０ｃを備える。通常、アクチュエータピン５０２は取っ手固定孔１９２に対して様々な位置に設けられる。アクチュエータピン５０２の位置は取っ手取付部５０８の下面部５１６上のレバー受承チャネル５２０の配置により決定可能である。レバー受承チャネル５２０はレバー５０４を回動自在に受承する。図１２，１４及び１６に示すようにレバー受承チャネル内におけるレバー５０４の回動によりアクチュエータピン５０２はＡ−Ａ線を軸として回動する。図１２乃至１７はアクチュエータピン５０２の動的ロック装置カバー１１４のアクチュエータ孔１８６内への挿入、及び取っ手固定具５１４の動的ロック装置カバー１１４の取っ手固定孔１９２内への挿入を示すが、多重引き戸ロック１００は取っ手セット５００に反転して取付可能である。これによりアクチュエータピン５０２は動的ロック装置ベース部１１２のアクチュエータ孔（図示しない）に挿入され、取っ手固定具５１４は動的ロック装置ベース部１１２の取っ手固定孔（図示しない）に挿入される。このように反転させて取り付けることにより、取っ手固定孔１９２はレバー受承チャネル５２０に反転して並べられる。
【００４１】
引き戸の支持体の取り付けにおいて、取っ手セット５００上のレバー５０４の位置は変更が必要となるか変更が望ましくなることがある。多重引き戸ロック１００はレバー５０４を有する取っ手セット５００を上部レバー受承チャネル５２０ａ、中間レバー受承チャネル５２０ｂ、及び下部レバー受承チャネル５２０ｃのいずれにも収容可能である。通常取っ手固定孔１９２ａ、取っ手固定孔１９２ｂ、及び取っ手固定孔１９２ｃ間の距離、取っ手固定孔１９２ｄ、取っ手固定孔１９２ｅ、及び取っ手固定孔１９２ｆ間の距離、並びにレバー受承チャネル５２０ａ、レバー受承チャネル５２０ｂ、及びレバー受承チャネル５２０ｃ間の距離は略同一である。従って、取っ手セット５００はロック１００に対して２，３以上の位置に設けられる。このような間隔の類似性により取っ手取付部５０８の取っ手固定ハウジング５１８ａ及び取っ手固定ハウジング５１８ｂはレバー５０４が設けられるレバー受承チャネル５２０に関係なく動的ロック装置カバー１１４の取っ手固定孔１９２と並べることができる。
【００４２】
図１２において、レバー５０４は中間レバー受承チャネル５２０ｂ内に設けられる。図１３に示すように動的ロック装置カバー１１４のアクチュエータ孔１８６内に挿入するアクチュエータピン５０２を収容するために、取っ手固定具５１４ａは取っ手固定ハウジング５１８ａに挿入され、取っ手固定具５１４ｂは取っ手固定ハウジング５１８ｂ及び取っ手固定孔１９２ｅに挿入される。
【００４３】
図１４において、レバー５０４は上部レバー受承チャネル５２０ａ内に設けられる。図１５に示すように動的ロック装置カバー１１４のアクチュエータ孔１８６内に挿入するアクチュエータピン５０２を収容するために、取っ手固定具５１４ａは取っ手固定ハウジング５１８ａ及び取っ手固定孔１９２ｃに挿入され、取っ手固定具５１４ｂは取っ手固定ハウジング５１８ｂ及び取っ手固定孔１９２ｆに挿入される。
【００４４】
図１６において、レバー５０４は下部レバー受承チャネル５２０ｃ内に設けられる。図１７に示すように動的ロック装置カバー１１４のアクチュエータ孔１８６内に挿入するアクチュエータピン５０２を収容するために、取っ手固定具５１４ａは取っ手固定ハウジング５１８ａ及び取っ手固定孔１９２ａに挿入され、取っ手固定具５１４ｂは取っ手固定ハウジング５１８ｂ及び取っ手固定孔１９２ｄに挿入される。
【００４５】
引き戸の取付や保守において、調整可能なラッチ１３４が面板１０４から延びる距離を調整する必要が出てくるか調整が望ましくなることもある。これらにより多重引き戸ロック１００はたとえ戸口が直角をなさなくても、或いは面板１０４に対する保持の位置が変化してもドア枠に設けられる受承要素（保持具）に適切に接合可能である。図４乃至９において、多重引き戸ロック１００は深さ調整機構１５２を有し、調整可能なラッチ１３４の深さを個別に調整してもよい。僅かな変形を除き、通常上部受動的ロック装置１０８ａの深さ調整機構１５２、動的ロック装置１０６、及び下部受動的ロック装置１０８ｂは略類似している。
【００４６】
通常、深さ調整機構１５２は例えば手工具を使用して、深さ調整ネジ１８０を回動させることによって作動される。深さ調整ネジ１８０は動的ロック装置ベース部１１２の前壁部１５６、受動的ロック装置ベース部１１６の前壁部３３６の周囲に設けられてもよい。図４乃至９に示すように深さ調整ネジ頭部３１０は面板１０４の大きな深さ調整ネジ穴１３２内に実質的に設けられてもよい。これにより深さ調整ネジ頭部３１０は一部が少しだけ面板１０４の上方へ突出するのみである。深さ調整ネジ首部３１２は動的ロック装置ベース部１１２の前壁部１５６の小さな深さ調整ネジ穴１７６、及び受動的ロック装置ベース部１１６の前壁部３３６の小さな深さ調整ネジ穴３５１内に設けられてもよい。通常深さ調整ネジ頭部３１０及び深さ調整ネジカラー３１４の径は小さな深さ調整ネジ穴１７６、３５１よりも大きく、これにより深さ調整ネジ１８０は略横断方向に定位置に固定される。通常深さ調整ネジ首部３１２、及び小さな深さ調整ネジ穴１７６、３５１は円筒形状であり略同一の寸法を有する。従って深さ調整ネジ１８０は小さな深さ調整ネジ穴１７６、３５１内を略自由に回動自在である。更に、通常深さ調整ネジ頭部３１０、及び大きな深さ調整ネジ穴１３２は円筒形状であり略同一の寸法を有する。従って深さ調整ネジ１８０は大きな深さ調整ネジ穴１３２内を略自由に回動自在である。
【００４７】
深さ調整ボルト２２２はネジが設けられて、深さ調整ネジ本体３１６の末端部３２０上に設けられてもよい。動的ロック装置１０６において、通常深さ調整ボルト２２２は動的ロック保定装置１３８の調整ボルト凹部２１８に設けられる。上部受動的ロック装置１０８ａ、及び下部受動的ロック装置１０８ｂにおいて、通常深さ調整ボルト２２２は受動的ロック保定装置３２８の深さ調整ボルト凹部３７０に設けられる。深さ調整ボルト凹部２１８、３７０の寸法及び形状は深さ調整ボルト２２２が深さ調整ボルト凹部２１８、３７０において回動することを実質的に防止する。
【００４８】
深さ調整ネジ１８０が回動されると、深さ調整ネジ頭部３１０及び深さ調整ネジカラー３１４は動的ロック装置１０６、上部受動的ロック装置１０８ａ、或いは下部受動的ロック装置１０８ｂ内の深さ調整ネジ１８０の位置を実質的に保持する。受動的ロック装置１０８における深さ調整ネジ１８０ｂは動的ロック装置１０６における深さ調整ネジ１８０よりも大きくてもよい。深さ調整ネジ１８０の位置は略横断方向に固定され、深さ調整ボルト２２２は回動自在に固定されるため、深さ調整ネジ１８０の回動は深さ調整ボルト２２２の横断方向の配置に作用し得る。深さ調整ネジ本体３１６及び深さ調整ボルト２２２上のネジの方向、並びに深さ調整ネジ１８０の回動方向により深さ調整ネジボルト２２２は動的ロック装置ベース部１０６の前壁部１５６及び後壁部１５８、並びに受動的ロック装置ベース部１０８の前壁部３３６及び後壁部３３８に向かって設けられてもよい。深さ調整機構１５２は深さ調整ボルト２２２が衝撃防止機構１５０に操作可能に連結されるように調整されてもよい。深さ調整ボルト２２２が衝撃防止機構１５０に操作可能に連結される場合に、深さ調整ボルト２２２の配置は衝撃防止体本体３０２の類似の配置に作用してもよい。これにより面板１０４内の衝撃防止アクチュエータ１８２の位置に作用する。
【００４９】
図４乃至６に示すように深さ調整機構１５２は動的ロック装置１０６内に設けられてもよい。図５において、深さ調整ボルト２２２が深さ調整ネジ本体３１６の末端部３２０に設けられるか末端部３２０の近傍に設けられる場合に動的ラッチ１３４ａは非拡張位置に位置する。深さ調整ネジ頭部３１０が回動されると、深さ調整ボルト２２２は動的ロック装置ベース部１１２の前壁部１５６に向かって設けられる。深さ調整ボルト２２２を前壁部１５６に向かって設けることにより、動的ロック保定装置１３８はクランク部本体２００の周囲を回転する。これによりピボットピンホール２１６は前壁部１５６に向かって移動する。小さなピボットピンホール２１６が前壁部１５６に向かって移動すると、動的ラッチ１３４ａに操作可能に取り付けられるピボットピン２２０の対応する運動により、動的ラッチ１３４ａはラッチチャネル１２４及び動的ラッチ開口部１７９を通過して後壁部１５８から離間して移動する。図６において、深さ調整ボルト２２２が深さ調整ネジ本体３１６の基端末端部３２０に設けられる場合に動的ラッチ１３４ａは拡張位置に位置する。このように動的ロック装置１０６内の動的ラッチ１３４ａの深さは調整可能である。通常範囲の調整は動的ロック装置ベース部１１２の後壁部１５８及び前壁部１３６の間の動的ロック保定装置１３８の回動範囲に限定される。
【００５０】
図７乃至９に示すように深さ調整機構１５２は上部受動的ロック装置１０８ａや下部受動的ロック装置１０８ｂ内に設けられてもよい。図８において、受動的ラッチ１３４ｂは深さ調整ボルト２２２が深さ調整ネジ本体３１６の末端部３２０に設けられるか末端部３２０の近傍に設けられる場合に非拡張位置に位置する。深さ調整ネジ頭部３１０が回動されると、深さ調整ボルト２２２は受動的ロック装置ベース部３２２の前壁部３３６に向かって移動される。深さ調整ボルト２２２の前壁部３３６に向かう移動により受動的ロック保定装置３２８は保定装置ピン３７１を中心として回動する。これにより小さなピボットピンホール３６８は前壁部３３６に向かって移動する。小さなピボットピンホール３６８が前壁部３３６に向かって移動すると、受動的ラッチ１３４ｂに操作可能に取り付けられたピボットピン５２４の上記移動に応じた運動により受動的ラッチ１３４ｂはラッチチャネル１２４を通過して延び、受動的ラッチ開口部３５０は後壁部３３８から離間して移動する。図９において、受動的ラッチ１３４ｂは深さ調整ボルト２２２が末端部３２０から離間して深さ調整ネジ本体３１６の基端部３１８に向かう場合に拡張位置に位置してもよい。これらにより受動的ロック装置１０８ｂ内の受動的ラッチ１３４ｂの深さは調整可能である。通常範囲の調整は受動的ロック装置ベース部３２２の後壁部３３８及び前壁部３３６の間の受動的ロック保定装置３２８の回動範囲に限定される。
【００５１】
調整可能ラッチ１３４を拡張位置に位置させる多重引き戸ロック１００の操作を主に後述する。しかしながら、要素の運動の配向を逆にすることにより、本発明の精神や範囲を逸脱することなく多重引き戸ロック１００の操作により調整可能ロックが非拡張位置に位置される。引き戸を開閉するために、引き戸を施錠や解錠する必要がある。多重引き戸ロック１００により使用者は可動レバー５０４を作動させる操作のみによって、複数の保持具と係合したり外れたりする複数の調整可能なラッチ１３４を作動させることができる。図４に示すように引き戸が開いている場合に通常衝撃防止機構１５０の衝撃防止アクチュエータ１８２は拡張位置に位置する。通常衝撃防止機構１５０は動的ロックアクチュエータ１４４の横断方向の移動を防止することにより機能する。動的ロックアクチュエータ１４４が面板１０４と平行な方向において横断方向に移動できない場合にクランク部材１３６は動的ロック装置１０６、上部受動的ロック装置１０８ａ、或いは下部受動的ロック装置１０８ｂを作動させることができない。
【００５２】
動的ロック衝撃防止体本体１５０及び装置ベース部１１２の後壁部１５８の間に設けられる衝撃防止バネ３０８は衝撃防止体本体１５０上に力を作用させる。これにより衝撃防止アクチュエータ１８２が面板１０４の衝撃防止孔１３０と動的ロック装置ベース部１１２の前壁部１５６の衝撃防止孔１７８を通過して延びる。衝撃防止アクチュエータ１８２に対向する力が作用されない場合には衝撃防止アクチュエータ１８２は拡張位置に保持される。しかしながら、衝撃防止体本体１５０は動的ロック装置ベース部１１２の後壁部１５８に向かって押圧され、動的ロック装置１０４を駆動してもよい。例えば、引き戸をドア枠に対して閉めることにより力が引き戸に対して作用される。この力により衝撃防止体本体１５０は衝撃防止バネ３０８を圧縮し、後壁部１５８に向かって移動する。図５，６に示すように衝撃防止体本体１５０の前面が衝撃防止凹部２４６の後端部を通過して押圧される場合に動的ロックアクチュエータ１４４は面板１０４の底端部１２２に向かって自由に拡張されてもよい。
【００５３】
動的ロックアクチュエータ１４４が自由に拡張可能である場合にクランク部材１３６は回動するように形成可能である。レバー５０４の基端部５１２はアクチュエータピン５０２によって動的ロック装置１０６に配置されるため、レバー５０４の部分によって画定される弧状の運動によりレバー５０４の末端部５１０は上昇又は下降する。これによりアクチュエータピン５０２は回動する。通常アクチュエータピン５０２の回動に応じてクランク部材１３６は動的ロック保定装置１３８のクランク孔２１４内を軸Ａ−Ａ線を中心として回動する。
【００５４】
図４に示すように非拡張位置において通常クランク部材１３６は、上部クランクアーム２０２が動的ロック装置ベース部１１２の後壁部１５８に対して設けられるか後壁部１５８の近傍に設けられるように配向される。レバー５０４のアクチュエータピン５０２に対する配向次第でレバー５０４の末端部５１０は上昇又は下降によりクランク部材１３６を回動させる。これにより底部クランクアーム２０６は動的ロック装置ベース部１１２の後壁部対して設けられるか後壁部１５８の近傍に設けられる。図４，５に示すようにクランク部材１３６がＡ−Ａ線を軸として周囲を回動すると中間クランクアーム２０４にも回動が生じ上方への指向から下方への指向に変位する。
【００５５】
中間クランクアーム２０４が回動すると、クランクアーム突出部２１０は上壁部１６０から離間して動的ロック装置ベース部１１２の底壁部１６２に向かって移動する。動的ロックアクチュエータ１４４のクランク突出部凹部２３６内に設けられるクランクアーム突出部２１０は、これによりロックアクチュエータ１４４を面板１０４の底端部１２２に向かって移動させる。通常クランク突出部凹部２３６は長尺状をなし、これによりクランクアーム突出部２１０が底壁部１６２に向かって縦に移動する場合に横断方向に配向されるクランクアーム突出部２１０を収容する。通常動的ロックアクチュエータ１４４の縦の配向はクランクアーム突出部２１０の横断方向の運動により描かれる弧によって画定される。クランクアーム突出部２１０は中間クランクアーム２０４の部分によって画定される。
【００５６】
動的ロックアクチュエータ１４４の縦の配向により３つの付加的な要素の運動が直接作用される。通常動的ロックアクチュエータ１４４は動的ロックドライブ板１４２を縦に配向し、前面ギアドライブ２８０を底壁部１６２に向かって配向し、下部連結部材１１０ｂを面板１０４の底端部１２２に向かって配向する。下部連結部材１１０ｂの目的は下部受動的ロック装置１０８ｂを作動させることであるため、下部連結部材１１０ｂに関して下部受動的ロック装置１０８ｂの記載と組み合わせて更に後述する。
【００５７】
動的ロックアクチュエータ１４４は動的ロックドライブ板１４２に対してアクチュエータリベット２６０により操作可能に取り付けられる。アクチュエータリベット２６０は動的ロックドライブ板１４２のドライブ板頭部２５０内の大きなアクチュエータ孔２５８及び動的ロックアクチュエータ１４４内の小さなアクチュエータ孔２３４を介して堅固に固定される。動的ロックアクチュエータ１４４が縦に配向されると、通常動的ロックドライブ板１４２は類似の長さ及び類似の指向により縦に配向される。動的ロックドライブ板１４２の運動の方向はピボットピン２２０によって保持される。ピボットピン２２０は動的ロック保定装置１３８の小さなピボットピンホール２１６を介して堅固に固定され、動的ラッチ１３４ａの大きなピボットピンホール２６６を介して回動自在に固定され、動的ロックドライブ板１４２のピボットピンスロット２５２に横断方向に固定される。図３に示すように動的ドライブ板１４２は動的ロック保定装置１３８内の動的ラッチ１３４ａの下方に固定される。動的ロックドライブ板１４２のドライブ板本体２４８内のピボットピンスロット２５２により動的ロックドライブ板１４２はピボットピン２２０に対して上下に摺動自在である。
【００５８】
通常動的ロックドライブ板１４２の底壁部１６２への配向によりドライブピン２５６上に力が作用される。図３に示すようにドライブピン２５６は動的ラッチ１３４ａのドライブピンホール２６４を介して回動自在に固定され、ドライブピンスロット２５４を介して横断方向に固定される。ドライブピン２５６に作用される力により動的ラッチ１３４ａはピボットピン２２０を軸として周囲を回動し、ドライブピン２５６は動的ロックドライブ板１４２のドライブピンスロット２５４内に移動される。通常ピボットピンスロット２５２の形状によりドライブピンスロット２５４は動的ラッチ１３４ａのピボットピン２２０を軸とした回動により描かれる、ドライブピン２５６の運動の弧を収容可能に配置される。ドライブピンスロット２５４、ドライブピン２５６、及びピボットピン２２０の相互作用によりラッチ１３４ａが後転することを防止する。図５，６に示すように動的ラッチ１３４ａがピボットピン２２０を軸として周囲を回動すると、フック２６２は動的ロック装置ベース部１１２内の動的ラッチ開口部１７９及び面板１０４内のラッチチャネル１２４を通過して移動し拡張位置に至る。
【００５９】
動的ロックアクチュエータ１４４も前面ギア突出部２９４により前面ギアドライブ２８０に対して操作可能に連結される。図２，３に示すように、動的ロックアクチュエータ１４４の上部係合領域２２４におけるアクチュエータ拡張部２３０は前面ギアドライブ２８０の前面ギア凹部２９２内に設けられる。これにより前面ギア突出部２９４は動的ロックアクチュエータ１４４の前面ギア突出部孔２３２を介して堅固に固定される。動的ロックアクチュエータ１４４が縦に配向されると、通常前面ギアドライブ２８０は類似の長さ及び類似の指向により縦に配向される。前面ギアドライブ２８０の移動の方向は前面ギア案内部２９０によって保持される。前面ギア案内部２９０は主壁部１５４の前面ギア案内スロット１６４ａ及び板カバー１８４の前面ギア案内スロット１６４ｂを介して横断方向に固定される。前面ギア案内スロット１６４ａ及び１６４ｂにより前面ギアドライブ２８０は上壁部１６０及び底壁部１６２に向かって、或いはこれらから離間して摺動自在である。
【００６０】
通常底壁部１６２への動的ロックアクチュエータ１４４の配向により、前面ギアドライブ２８０上に力が作用する。これにより前面ギアドライブ２８０は底壁部１６２に向かって配向される。前面ギアドライブ２８０の配向により前面ギアドライブ２８０のギア２８８は歯２７８のギア２８６と係合する。歯２７８は歯突出部２８４によって定位置に回動自在に固定される。歯突出部２８４は主壁部１５４の歯突出部孔１６６ａ及びカバー板１８４の歯突出部孔１６６ｂに回動自在に固定される。
【００６１】
歯２７８のギア２８６も後面ギアドライブ２９８のギア２９６と係合可能である。通常ギアドライブ２８０の配向により歯２７８が回動すると、この歯２７８の回動により後面ギアドライブ２８２が前面ギアドライブ２８０の配向の方向とは反対側の方向に移動されるか動的ロック装置ベース部１１２の上壁部１６０に向かって移動される。下部連結部材１１０ｂ及び上部連結部材１１０ａを確実に略同じ量により移動させるために前面ギアドライブ２８０のギア２８８及び歯２７８のギア２８６の間のギア比、並びに後面ギアドライブ２８２のギア２９６及び歯２７８のギア２８６の間のギア比は１：１とする。
【００６２】
後面ギアドライブ２８２は後面ギア突出部３００により上部連結部材係合具１４８に操作可能に取り付けられる。後面ギア突出部３００は上部連結部材係合具１４８の下部領域２７０内の後面ギア突出部孔２７６を介して堅固に固定される。後面ギアドライブ２８２は縦に配向され、通常上部連結部材係合具１４８は類似の長さ及び類似の指向により縦に配向される。
【００６３】
通常動的ロックアクチュエータ１４４の上部連結部材係合具１４８及び下部連結部材係合具１４６は同様に作動して受動的ラッチ１３４ｂを駆動させる。上部連結部材係合具１４８は上部連結部材１１０ａの歯部１１１及び溝１１３と係合する歯部２７２及び溝２７４を有する。上部連結部材係合具１４８が面板１０４の上端部１２０に配向されると、上部連結部材係合具１４８により上部連結部材１１０ａは類似の量だけ類似の指向に配向されてもよい。同様に下部連結部材係合具１４６は下部連結部材１１０ｂの歯部１１１及び溝１１３と係合する歯部２４２及び溝２４４を有する。下部連結部材係合具１４６が面板１０４の底端部１２２に配向されると、下部連結部材係合具１４６により上部連結部材１１０ａは類似の量だけ類似の指向に配向されてもよい。
【００６４】
図２，３において、通常上部連結部材１１０ａ及び下部連結部材１１０ｂは保持具５５０及び保持リベット５５２により面板１０４に対して横断方向に固定される。保持リベット５５２は保持具５５０の保持具ネジ穴５５４及び面板１０４の取付孔１２８を介して堅固に固定される。上部連結部材１１０ａ及び下部連結部材１１０ｂは保持リベット５５２が連結部材チャネル５５６内に設けられるように、面板１０４及び保持具５５０の間に摺動自在に設けられてもよい。これにより上部連結部材１１０ａ及び下部連結部材１１０ｂは面板１０４に対して基端側に固定され保持リベット５５２の周囲を摺動自在である。
【００６５】
下部受動的ロック装置１０８ｂの動作を後述する。しかしながら、当業者は上部受動的ロック装置１０８ａの動作の指向が本発明の精神や範囲を逸脱することなく同様に開示されることを認識するだろう。図２，３において、下部連結部材１１０ｂは受動的ロックアクチュエータ３３２の上部係合領域３７２に操作可能に取り付けられる。下部連結部材１１０ｂは受動的ロックアクチュエータ３３２の歯部３７８及び溝部３８０と係合する歯部１１１及び溝１１３を有する。下部連結部材１１０ｂが面板１０４の底端部１２２に配向されると、下部連結部材１１０ｂにより受動的ロックアクチュエータ３３２は類似の量及び類似の指向に配向される。
【００６６】
受動的ロックアクチュエータ３３２は受動的ロックドライブ板３３０に対してアクチュエータリベット５２６により操作可能に取り付けられる。アクチュエータリベット５２６は受動的ロックドライブ板３３０のドライブ板頭部３９６内の大きなアクチュエータ孔４０２及び受動的ロックアクチュエータ３３２内の小さなアクチュエータ孔３８６を介して堅固に固定される。受動的ロックアクチュエータ３３２が縦に配向されると、通常受動的ロックドライブ板３３０は類似の長さ及び類似の指向により縦に配向される。受動的ロックドライブ板３３０の運動の方向はピボットピン５２４によって保持される。ピボットピン５２４は受動的ロック保定装置３２８の小さなピボットピンホール３６８を介して堅固に固定され、受動的ラッチ１３４ｂの大きなピボットピンホール３６２を介して回動自在に固定され、受動的ロックドライブ板３３０のピボットピンスロット３９８に横断方向に固定される。図３に示すように受動的ロックドライブ板３３０は受動的ロック保定装置３２８内の受動的ラッチ１３４ｂの下方に固定される。受動的ロックドライブ板３３０のドライブ板本体３９４内のピボットピンスロット３９８により受動的ロックドライブ板３３０はピボットピン５２４に対して上下に摺動自在である。
【００６７】
通常受動的ロック装置ベース部３２２の底壁部３４２に向かう受動的ロックドライブ板３３０の配向によりドライブピン５２２上に力が作用される。図３に示すようにドライブピン５２２は受動的ラッチ１３４ｂのドライブピンホール３６０を介して回動自在に固定され、ドライブピンスロット４００を介して横断方向に固定される。ドライブピン２５６に作用される力により受動的ラッチ１３４ｂはピボットピン５２４を軸として周囲を回動し、ドライブピン５２２は受動的ロックドライブ板３３０のドライブピンスロット４００内に移動される。通常ドライブピンスロット４００の形状によりドライブピン５２２は受動的ラッチ１３４ｂのピボットピン５２４を軸とした回動により描かれる、ピボットピン５２４の運動の弧を収容可能に配置される。図５，６に示すようにフック３５８は受動的ラッチ装置ベース部３２２及び面板１０４のラッチチャネル１２４の受動的ラッチ開口部３５０を介して移動し、拡張位置に位置する。
【図１】
0005378705.tif 000002
【図１ａ】
0005378705.tif 000003
【図２】
0005378705.tif 000004
【図３】
0005378705.tif 000005
【図４】
0005378705.tif 000006
【図５】
0005378705.tif 000007
【図６】
0005378705.tif 000008
【図７】
0005378705.tif 000009
【図８】
0005378705.tif 000010
【図９】
0005378705.tif 000011
【図１０】
0005378705.tif 000012
【図１１】
0005378705.tif 000013
【図１２】
0005378705.tif 000014
【図１３】
0005378705.tif 000015
【図１４】
0005378705.tif 000016
【図１５】
0005378705.tif 000017
【図１６】
0005378705.tif 000018
【図１７】
0005378705.tif 000019
【図１８】
0005378705.tif 000020
【図１９】
0005378705.tif 000021
【図２０】
0005378705.tif 000022